(57)【要約】【課題】スポーツや仕事、長時間の移動（飛行機）などで脚に感じる疲れやむくみを軽減することができるレッグサポータを提供する。【解決手段】少なくとも足の土踏まず部から膝関節上部までを覆う筒状のサポータ主体１ａを、伸縮性素材で一体的に形成するとともに、着用した際に膝蓋部に対応する筒状のサポート主体１ａの部位に開孔部２を形成し、かつ着用したとき、足の土踏まず部で最も強く、足首、ふくらはぎ、膝下部と段階的に弱くなる圧迫力を加えることができるように構成する。【選択図】      図１
2004256941.tif 000002
【特許請求の範囲】
【請求項１】
少なくとも足の土踏まず部から膝関節上部までを覆う筒状のサポータ主体を、伸縮性素材で一体的に形成するとともに、
着用した際に膝蓋部に対応する筒状のサポータ主体の部位に開孔部を形成し、
かつ着用した足に圧迫力を加えることができるものであること
を特徴とするレッグサポータ。
【請求項２】
前記圧迫力は、
足の土踏まず部で最も強く、足首、脹脛、膝下部と段階的に弱くなるものであること
を特徴とする請求項１に記載のレッグサポータ。
【請求項３】
前記サポータ主体は、
開孔部を有する膝関節部において、前面から後面への引張力を生じせしめることができるものであること
を特徴とする請求項１又は２に記載のレッグサポータ。
【発明の詳細な説明】
【０００１】
【発明の属する技術分野】
この発明は、スポーツや仕事、飛行機などの乗り物による長時間の移動などに際し、脚に感じる疲れやむくみを軽減することができるレッグサポータに関するものである。
【０００２】
【従来の技術】
脚の血行を促進し、足のむくみを取り、疲れを和らげることができるレッグサポータについては、これまでも種々提案されているが、具体的に例示すれば、以下のようなものが挙げられる。
【０００３】
例えば、特開平１１−１３１３０３号公報（特許文献１）には、脹脛（ふくらはぎ）を覆って脹脛を締め付ける筒状の上部サポータ体と、足の土踏まず部を覆って土踏まず部を締め付ける筒状の下部サポータ体とからなり、上部サポータ体が、中央部が脹脛を強圧で締め付け、両端部が脹脛を弱圧で締め付け、中央部と両端部との間の部分が脹脛を中圧で締め付けるもので、下部サポータ体が、足の土踏まず部を強圧で締め付けるレッグサポータが開示されている。
【０００４】
また、例えば、特開平２００２−３３９１１８号公報（特許文献２）には、足首から大腿部を覆うサポータであって、膝部から大腿部にかけての前半部をプレーン編み組織、後半部をメッシュ編み組織とし、足首から膝部にかけての前半部をメッシュ編み組織、後半部をリブ編み組織とすると共に、足首から大腿部に向かって弱くなる着用圧バランスとしたレッグサポータが提案されている。
【０００５】
【特許文献１】
特開平１１−１３１３０３号公報（特許請求の範囲）
【特許文献２】
特開平２００２−３３９１１８号公報（特許請求の範囲）
【０００６】
【発明が解決しようとする課題】
これら特許文献に開示されたレッグサポータは、それぞれ、うっ血しやすい脹脛部や足の土踏まず部を締め付けるので、脚の血行が促進される、圧設計と使用素材の組み合せにより心拍出量を増大させ、静脈還流を促進させ、むくみ、疲れを軽減できるという効果を奏するものであるが、発明者は、更にレッグサポータの特性を向上させ、特にスポーツや仕事、長時間の移動（飛行機）などで脚に感じる疲れやむくみをより軽減することができるとともに、着用しやすく、着用時にサポータがずり落ちるようなことのないレッグサポータを提供すべく検討を行ったのである。
【０００７】
その結果、レッグサポータを、足の土踏まず部から膝関節上部迄の一体構造とするとともに、一体構造にしたレッグサポータの膝蓋部は、開孔部を設けて膝蓋部を露出させることにより、また、前記レッグサポータにおいて、伸縮性素材を用い、着用した足に圧迫力を加えること、しかも、その圧迫力を足の土踏まず部で最も強く、足首、脹脛、膝下部と段階的に弱くすることによって、さらには、開孔部を有する膝関節部において、前面から後面への引張力を生じせしめることができるようにすることにより、さらに履き心地のよいレッグサポータ開発し、この発明を完成させた。
【０００８】
【課題を解決するための手段】
すなわち、この発明の請求項１に記載の発明は、
少なくとも足の土踏まず部から膝関節上部までを覆う筒状のサポータ主体を、伸縮性素材で一体的に形成するとともに、
着用した際に膝蓋部に対応する筒状のサポータ主体の部位に開孔部を形成し、
かつ着用した足に圧迫力を加えることができるものであること
を特徴とするレッグサポータである。
【０００９】
また、この発明の請求項２に記載の発明は、
請求項１に記載のレッグサポータにおいて、
前記圧迫力が、
足の土踏まず部で最も強く、足首、脹脛、膝下部と段階的に弱くなるものであること
を特徴とするものである。
【００１０】
さらに、この発明に請求項３に記載の発明は、
請求項１又は２に記載のレッグサポータにおいて、
前記サポータ主体は、
開孔部を有する膝関節部において、前面から後面への引張力を生じせしめることができるものであること
を特徴とするものである。
【００１１】
【発明の実施の形態】
以下、この発明のレッグサポータを、図面を用いて詳細に説明する。
図１は、この発明のレッグサポータを着用した状態を示す図で、レッグサポータ１は、少なくとも足の土踏まず部から膝関節上部までを覆う筒状のサポータ主体１ａからなるものであって、このサポータ主体１ａには、関節部の機能を抑制する膝蓋部の覆いが切除され、膝蓋部を露出させるための開孔部２が設けてられている。
【００１２】
このサポータ主体１ａを形成する伸縮性素材としては、ゴム糸、ウレタン糸を使用した伸縮性編布、織布を用いることができ、丸編により直接筒状に形成してもよいし、織布から後加工で筒状にしてもよい。
【００１３】
さらに、このサポータ主体１ａの膝関節部３に関しては、前面から後面への引張力を生じさせるため、より伸縮性の強い伸縮性不織布、フィルム、エラスチック性発泡体が用いられるもので、膝関節部３に格別の伸縮性素材を用いた際は、レッグサポータ１の下部とは、縫製によって、または接着剤を用いて一体化される。
【００１４】
伸縮性素材を用いたサポータ主体１ａは、足に着用した際に、着用した足に圧迫力を加えることができるように、その形状が整えられるもので、また、その圧迫力は、足の土踏まず部で最も強く、足首、脹脛、膝下部と段階的に弱くなるように調整される。その圧迫力は、強いところで凡そ２７ｈｐａ、弱いところで１９ｈｐａ程度とする。また、膝関節部においては、前面から後面（膝裏背面）への引張力を生じるように調整される。また、足底は重ね履きしても滑りにくい編み形状にすることが望ましい。
【００１５】
【発明の効果】
この発明のレッグサポータは、土踏まず部から上に向かって圧迫力が弱くなるように調整されているので、足周辺の血液の循環をスムーズにし、脚の疲労を食い止め、脚の疲労を大幅に軽減させ疲労回復をサポートする機能と膝関節及びその周辺の筋肉を伸縮生地で適度に圧迫することで、膝の反発力を強め、膝の曲げ伸ばしをラクにして、膝の痛みや疲れを取り、足が楽に上がることで快適に歩くことができる機能を有し、運動しやすく快適な歩行を助けることができるものである。
【００１６】
また、足の土踏まず部から膝関節上部まで一体化しているため着用が楽で、また膝関節上部迄一体化されているとともに、膝蓋部を露出させ、その周囲の膝関節部においても圧迫力が働くため、この発明のレッグサポータは、着用時、さらには運動している際にもずり落ちる惧れが少なく、さらに、この発明のレッグサポータは、つま先があいているので、ふんばりがきき、スポーツ時に足指でしっかりと大地をつかめるものである。
【００１７】
特に、この発明のレッグサポータは、スポーツや仕事、長時間の移動（飛行機）などで脚に感じる疲れやむくみを軽減することができ、また、トレッキングや登山、ウォーキングなど、脚の運びをスムーズにすることができるもので、ウォーキング、ハイキング、ジョギング、登山、ゴルフ、飛行機などで長時間身動きのとれないときなどの日常の生活、あるいは各種のスポーツを行う際に好適に用いられるものである。
【図面の簡単な説明】
【図１】この発明のレッグサポータを着用した状態を示す図である。
【符号の説明】
１        レッグサポータ
１ａ      サポータ主体
２        開孔部
３        膝関節部
【図１】
2004256941.tif 000003